(57)【要約】    【課題】構造の簡素化、軽量化、現地施工の簡略化および環境の調和を図る。    【解決手段】ポリマー套管は、下端部に導体挿入孔１ａを有する導体引出棒１と、導体引出棒１の外周に設けられる硬質の絶縁筒２と、絶縁筒２の外周に設けられるポリマー被覆体３とを備え、ポリマー被覆体３の中間部には略Ｌ字状の折曲部Ｌが設けられている。  絶縁筒２は、導体引出棒１の下方部位の外周部に設けられる大径絶縁筒２ａと、導体引出棒１の先端部を除く部分の外周部に設けられる小径絶縁筒２ｂとを備えており、大径絶縁筒２ａと小径絶縁筒２ｂの連設部分には電界緩和用の埋込金具４が埋設されている。また、大径絶縁筒２ａの下端部にはケーブル端末部のストレスコーンを受容するコーン状の受容口５が設けられており、この受容口５は導体引出棒１の導体挿入孔１ａと連通されている。【選択図】  図１
2005100778.tif 000002
【特許請求の範囲】
【請求項１】
中心に導体引出棒を有し、下端部にケーブル端末の受容口を有する硬質の絶縁筒と、
前記絶縁筒の外周に一体的に設けられ、それ自身の外周に多数の襞部が長手方向に離間して形成されたポリマー被覆体とを備えるポリマー套管において、
前記ポリマー套管には、曲がり部が設けられていることを特徴とするポリマー套管。
【請求項２】
中心に導体引出棒を有し、下端部にケーブル端末の受容口を有する硬質の絶縁筒と、
前記絶縁筒の外周に一体的に設けられ、それ自身の外周に多数の襞部が長手方向に離間して形成されたポリマー被覆体とを備えるポリマー套管において、
前記受容口は、前記ポリマー被覆体よりも下方部位に配設され、
前記ポリマー套管には、曲がり部が設けられていることを特徴とするポリマー套管。
【請求項３】
前記導体引出棒の下端部に前記受容口と連通する導体挿入孔が設けられ、
前記導体挿入孔は、前記ポリマー被覆体よりも下方部位に配設されていることを特徴とする請求項１または請求項２記載のポリマー套管。
【請求項４】
中心に導体引出棒を有し、下端部にケーブル端末の受容口を有する硬質の絶縁筒と、
前記絶縁筒の外周に一体的に設けられ、それ自身の外周に多数の襞部が長手方向に離間して形成されたポリマー被覆体とを備えるポリマー套管において、
前記ポリマー套管には、曲がり部が設けられ、
前記硬質の絶縁筒には、フランジ部を有する金具が設けられており、
前記ポリマー被覆体は、前記金具よりも上方部位に配設され、
前記受容口は、前記金具より下方部位に配設されていることを特徴とするポリマー套管。
【請求項５】
前記金具は、前記硬質の絶縁筒に埋設されて固定される電界緩和用の埋込金具で構成されていることを特徴とする請求項４記載のポリマー套管。
【請求項６】
前記曲がり部は、前記ポリマー套管の中間部において略Ｌ字状を呈するように折曲されたものであることを特徴とする請求項１乃至請求項５の何れか１項記載ポリマー套管。
【請求項７】
前記導体引出棒の外周に前記絶縁筒が一体的に設けられていることを特徴とする請求項１乃至請求項６の何れか１項記載のポリマー套管。
【請求項８】
請求項１乃至請求項７の何れか１項記載のポリマー套管の受容口にケーブル端末が装着されていることを特徴とするケーブル終端接続部。
【請求項９】
請求項１乃至請求項７の何れか１項記載のポリマー套管は、鉄塔の腕金上に、前記ポリマー套管の先端部を前記腕金よりも下方部位に位置するように設置され、前記ポリマー套管の受容口にはケーブル端末が装着されていることを特徴とするケーブル終端接続部。
【発明の詳細な説明】
【技術分野】
【０００１】
この発明は、ポリマー套管およびこれを用いたケーブル終端接続部に係わり、特に、構造の簡素化、軽量化および現地施工の簡略化を図ることができ、また、絶縁油や絶縁ガスなどの絶縁コンパウンドの充填を必要とせず、さらに天井が低い変電所や鉄塔の腕金上に布設する場合に好適するポリマー套管およびこれを用いたケーブル終端接続部に関する。
【背景技術】
【０００２】
従来、この種のケーブル終端接続部としては、図７に示すような構成のものが知られている。同図において、従来のケーブル終端接続部は、ケーブル端末部２０と、このケーブル端末部２０を包被する磁器套管２１とを備えており、この磁器套管２１内には、絶縁油や絶縁ガスなどの絶縁コンパウンド２２が充填されている。
【０００３】
ここで、磁器碍管２１の底部には、環状の底部金具２３が取り付けられ、磁器碍管２１内の下方部には、エポキシ座２４が磁器碍管２１と同心状に配設されている。また、磁器碍管２１の頂部には、上部金具２４および上部覆２５がそれぞれ配設され、磁器碍管２１内の上部中心部には導体引出棒２６が磁器碍管２１と同心状に配設されている。なお、導体引出棒２６の下端部は磁器碍管２１内に位置し、先端部は上部金具２４および上部覆２５の中央部から上方に向けて気密に導出されている。
【０００４】
また、ケーブル端末部２０を構成するケーブル絶縁体２７の外周にはストレスコーン２８が装着され、また、ケーブル導体（不図示）の先端部には導体端子２９が取り付けられている。なお、図中、符号３０はストレスコーン２８を押圧する押圧装置、３１ａ、３１ｂはシール部、３２は締付金具、３３は支持碍子、３４は支持架台を示している。
【０００５】
このような構成のケーブル終端接続部においては、磁器碍管２１内に位置する導体引出棒２６の下端部に導体端子２９が接続され、また、エポキシ座２４の内壁面にストレスコーン２８の外表面が圧接されている。
【０００６】
しかしながら、このような構成のケーブル終端接続部においては、導体端子２９と導体引出棒２６との接続点が磁器碍管２１の内部に存在するため、次のような難点があった。
【０００７】
第１に、ストレスコーンを受容するエポキシ座が磁器碍管内に存在するため、これに応じて磁器碍管が太くなり、ひいては、磁器碍管の重量が重くなるという難点があった。
【０００８】
第２に、磁器碍管の外径が太くなると、磁器碍管の投影断面積が大きくなり、ひいては磁器碍管の汚損耐電圧特性が低下することから、所定の汚損耐電圧特性を維持するためには、長尺の磁器碍管を使用しなければならないという難点があった。
【０００９】
第３に、磁器碍管内に絶縁コンパウンドが充填されていることから、磁器碍管が破損すると、磁器碍管内から絶縁コンパウンドが流出し二次災害を起こす虞があった。
【００１０】
第４に、エポキシ座、上部覆、締付金具などの部品が必要となるから、部品点数が多くなり、また、構造が複雑になるという難点があった。
【００１１】
このため、（イ）図７に示す磁器碍管２１に代えて、ポリマー套管を使用し、当該ポリマー套管内に絶縁油や絶縁ガスを充填して成るケーブル終端接続部や（ロ）図８に示すように、中心に配設される導体引出棒４２と、導体引出棒４２の外周に配設される硬質の絶縁筒４３と、絶縁筒４３の外周に一体的に設けられるポリマー被覆体４４とを備えるポリマー套管４１の受容口４６にケーブル端末部４０を装着して成るケーブル終端接続部が開発されている。
【００１２】
しかしながら、（イ）のケーブル終端接続部においては、套管が高分子材料のポリマーで形成されているため、外部から水分が透過しこの水分がポリマー套管内の絶縁油や絶縁ガスに混入して当該絶縁油や絶縁ガスの性能を劣化させる虞があった。また、（ロ）のケーブル終端接続部においては、ポリマー套管４１内にストレスコーンを受容するエポキシ座が存在せず、ポリマー套管４１内に絶縁コンパウンドを充填する必要がないことから、ポリマー套管４１の構造の簡素化および軽量化を図ることができる上、各部をユニット化して現地に搬入することができ、さらに現地施工時間の短縮化を図ることができるという利点を備えているものの、ケーブル端末部４０のケーブル導体４５と導体引出棒４２との接続点がポリマー套管４１内に存在するため、前述の磁器碍管と同様に、ポリマー套管４１の外径が太くなり、ポリマー套管の重量が重くなるという難点があり、また、ポリマー套管４１が太くなると、ポリマー套管４１の投影断面積が大きくなり、ひいては汚損耐電圧特性の向上を図るために、長尺のポリマー套管を使用しなければならないという難点があった。
【００１３】
このため、本出願人は、先に、図９に示すように、中心に導体引出棒５１を有し、下端部にケーブル端末の受容口５２を有する硬質の絶縁筒５３と、絶縁筒５３の外周に一体的に設けられ、それ自身の外周に多数の襞部５４が長手方向に離間して形成されたポリマー被覆体５５とを備え、受容口５２がポリマー被覆体５５よりも下方部位に配設されて成るポリマー套管５６を開発し、出願している（特願２００２−１０５４３２）。
【００１４】
このような構成のポリマー套管５６によれば、第１に、硬質の絶縁筒の外周にポリマー被覆体が一体的に設けられていることから、従来の磁器碍管よりも、軽量で、破損しにくく、また、取扱いが容易になり、作業性を大幅に向上させることができ、第２に、絶縁油や絶縁ガスを必要としないことから、環境の調和を図ることができ、第３に、ポリマー被覆体をシリコンポリマーで形成した場合においては、シリコンポリマーの撥水性により、汚損耐電圧特性を向上させることができ、第４に、絶縁筒の受容口がポリマー被覆体よりも下方部位に配設されていることから、従来のポリマー套管よりも細くすることができ、さらに、ポリマー套管が細くなる結果、ポリマー套管の投影断面積が小さくなり、ひいては短尺のポリマー套管でも所定の汚損耐電圧特性を維持することができ、第５に、導体引出棒とケーブル導体との接続がポリマー被覆体よりも下方部位で行なわれることから、ケーブル端末部の段剥処理部の長さを短くでき、第６に、ポリマー套管中に埋込金具が埋設され、この埋込金具が底部金具と一体化されていることから、ポリマー套管を機械的に補強することができるとともに、ポリマー套管を底部金具を介して取付架台などに容易にかつ安定して取り付けることができるという利点を備えている。
【００１５】
しかしながら、このような構成のポリマー套管５５においては、当該ポリマー套管５５を、図１０に示すように、鉄塔６１の腕金６２上に垂直に設置し、当該ポリマー套管５５の受容口５２（図９参照）にケーブル端末５７（図９参照）を装着した場合には、ポリマー套管５５の充電部（導体引出棒５１の先端部）と、当該ポリマー套管の上部に位置する腕金６２間との離隔距離が短くなることから、腕金６２間の離隔距離を広げる必要があり、ひいては鉄塔６１が大型化し、コスト的にも不利になるという難点があった。
【００１６】
【特許文献１】登録実用新案公報（登録第３０３１８３４号）（段落番号「０００２」〜「０００４」、図２）
【発明の開示】
【発明が解決しようとする課題】
【００１７】
本発明は、上述の難点を解決するためになされたもので、軽量かつコンパクトで、構造の簡素化を図り得るポリマー套管であって、天井の低い変電所や鉄塔上に布設する場合に好適するポリマー套管およびこれを用いたケーブル終端接続部を提供することを目的としている。
【課題を解決するための手段】
【００１８】
本発明の第１の態様であるポリマー套管は、中心に導体引出棒を有し、下端部にケーブル端末の受容口を有する硬質の絶縁筒と、絶縁筒の外周に一体的に設けられ、それ自身の外周に多数の襞部が長手方向に離間して形成されたポリマー被覆体とを備えるポリマー套管において、ポリマー套管には、曲がり部が設けられているものである。
【００１９】
本発明の第２の態様であるポリマー套管は、中心に導体引出棒を有し、下端部にケーブル端末の受容口を有する硬質の絶縁筒と、絶縁筒の外周に一体的に設けられ、それ自身の外周に多数の襞部が長手方向に離間して形成されたポリマー被覆体とを備えるポリマー套管において、受容口は、ポリマー被覆体よりも下方部位に配設され、ポリマー套管には、曲がり部が設けられているものである。
【００２０】
本発明の第３の態様は、第１の態様または第２の態様であるポリマー套管において、導体引出棒の下端部に前記受容口と連通する導体挿入孔が設けられ、導体挿入孔は、ポリマー被覆体よりも下方部位に配設されているものである。
【００２１】
本発明の第４の態様であるポリマー套管は、中心に導体引出棒を有し、下端部にケーブル端末の受容口を有する硬質の絶縁筒と、絶縁筒の外周に一体的に設けられ、それ自身の外周に多数の襞部が長手方向に離間して形成されたポリマー被覆体とを備えるポリマー套管において、ポリマー套管には、曲がり部が設けられ、硬質の絶縁筒には、フランジ部を有する金具が設けられており、ポリマー被覆体は、金具よりも上方部位に配設され、受容口は、金具より下方部位に配設されているものである。
【００２２】
本発明の第５の態様は、第４の態様であるポリマー套管において、金具は、硬質の絶縁筒に埋設されて固定される電界緩和用の埋込金具で構成されているものである。
【００２３】
本発明の第６の態様は、第１の態様乃至第５の態様の何れかであるポリマー套管において、曲がり部は、ポリマー套管の中間部において略Ｌ字状を呈するように折曲されたものである。
【００２４】
本発明の第７の態様は、第１の態様乃至第６の態様の何れかであるポリマー套管において、導体引出棒の外周に絶縁筒が一体的に設けられているものである。
【００２５】
本発明の第８の態様は、第１の態様乃至第７の態様の何れかであるポリマー套管の受容口にケーブル端末が装着されているものである。
【００２６】
本発明の第９の態様は、第１の態様乃至第７の態様の何れかであるポリマー套管が、鉄塔の腕金上に、ポリマー套管の先端部を腕金よりも下方部位に位置するように設置され、ポリマー套管の受容口にはケーブル端末が装着されているものである。
【発明の効果】
【００２７】
本発明の第１の態様乃至第９の態様のポリマー套管によれば、次のような効果がある。すなわち、従来の図９に示すポリマー套管と同様に、第１に、従来の図７に示す磁器碍管よりも、軽量で、破損しにくく、また、取扱いが容易になり、作業性を大幅に向上させることができ、第２に、絶縁油や絶縁ガスを必要としないことから、環境の調和を図ることができ、第３に、ポリマー被覆体をシリコンポリマーで形成した場合においては、シリコンポリマーの撥水性により、汚損耐電圧特性を向上させることができ、第４に、絶縁筒の受容口がポリマー被覆体よりも下方部位に配設されていることから、従来の図８に示すポリマー套管よりも細くすることができ、さらに、ポリマー套管が細くなる結果、ポリマー套管の投影断面積が小さくなり、ひいては短尺のポリマー套管でも所定の汚損耐電圧特性を維持することができ、第５に、導体引出棒とケーブル導体との接続がポリマー被覆体よりも下方部位で行なわれることから、ケーブル端末部の段剥処理部の長さを短くでき、第６に、ポリマー套管中に埋込金具が埋設され、この埋込金具が底部金具と一体化されていることから、ポリマー套管を機械的に補強することができるとともに、ポリマー套管を底部金具を介して取付架台などに容易にかつ安定して取り付けることができる。
【００２８】
また、ポリマー套管の中間部に曲がり部が設けられていることから、当該ポリマー套管を天井の低い変電所や鉄塔の腕金端部上に設置しても必要な離隔距離を十分確保することができる。
【発明を実施するための最良の形態】
【００２９】
以下、本発明のポリマー套管およびこれを用いたケーブル終端接続部の好ましい実施の形態例について、図面を参照して説明する。
【００３０】
図１は、本発明のポリマー套管の一部断面図、図２は、本発明のポリマー套管を用いた２２〜７７ｋＶ級ＣＶケーブルの気中終端接続部の一部断面図を示している。
【００３１】
図１において、本発明のポリマー套管Ｐは、中間部にＬ字状の折曲部を有し、かつ下端部に導体挿入孔１ａを有する導体引出棒１と、導体引出棒１の外周に設けられる硬質の絶縁筒２と、絶縁筒２の外周に設けられるポリマー被覆体３とを備えており、全体としてＬ字状を呈している。ここで、絶縁筒２は、機械的強度の高い材料、例えばエポキシ樹脂やＦＲＰなどの硬質プラスチック樹脂で形成され、また、ポリマー被覆体３は、電気絶縁性能に優れる材料、例えばシリコンポリマーなどの高分子絶縁材料で形成されており、導体引出棒１、絶縁筒２およびポリマー被覆体３はモールドにより一体的に形成されている。
【００３２】
絶縁筒２は、導体引出棒１の下方部位の外周部、すなわち導体挿入孔１ａと対応する部分の外周部に設けられる大径絶縁筒２ａと、この大径絶縁筒２ａの上部に連設され、導体引出棒１の先端部を除く部分の外周部に設けられる小径絶縁筒２ｂとを備えており、大径絶縁筒２ａと小径絶縁筒２ｂの連設部分には電界緩和用の埋込金具４が埋設されている。また、大径絶縁筒２ａの下端部には後述するケーブル端末部のストレスコーンを受容するコーン状の受容口５が設けられており、この受容口５は導体引出棒１の導体挿入孔１ａと連通されている。
【００３３】
ポリマー被覆体３は、小径絶縁筒２ｂの外周部に設けられ、そのＬ字状の曲がり部Ｌを除く外周部には、多数個の襞部３ａがポリマー被覆体３の長手方向に沿って離間して形成されている。
【００３４】
埋込金具４は、小径絶縁筒２ｂの下方部に導体引出棒１と同心状に埋設される筒状部４ａと、筒状部４ａの下端部に連設され外周縁部が大径絶縁筒２ａの上部位置の外周部から延出する如く埋設される環状のフランジ部４ｂとを備えており、フランジ部４ｂの外周縁部の下端面には環状の底部金具６が締付ボルト（不図示）を介して固定されている。
【００３５】
なお、図中、符号７は、大径絶縁筒２ａの外周部に配設され、上端部が埋込金具４のフランジ部４ｂの下面に取り付けられる保護金具を示している。
【００３６】
次に、本発明のポリマー套管を用いたケーブル終端接続部について説明する。
【００３７】
図２において、先ず、ポリマー套管Ｐを底部金具６の下面に配設した支持碍子９を介して支持架台１０に取り付ける。また、従来のケーブル端末部と同様に、ケーブル端末を段剥処理して露出させたケーブル絶縁体１１ａの外周にストレスコーン１２を装着するとともに、ケーブル導体１１ｂの先端部に導体端子１３を取り付ける。ここで、ストレスコーン１２は、エチレンプロピレンゴム（ＥＰゴム）等のゴム状弾性を有するプレモールド絶縁体などから成り、このストレスコーン１２の先端部には受容口５の内壁面に装着される先細り状のコーン状部が設けられている。
【００３８】
そして、このような構成のケーブル端末部１１を受容口５に装着し、予めケーブル端末部側に配設した押圧装置１４を受容口５側に向けて圧縮する。これにより、導体端子１３が導体引出棒１の導体挿入孔１ａにプラグイン接続されるとともに、ストレスコーン１２のコーン状部が受容口５の内壁面に押し付けられ、ひいては、受容口５の内壁面とコーン状部の外周面間における界面の絶縁性能が確保される。
【００３９】
なお、図中、符号１５はシール部、１６は下部金具、１７はアダプタ、１８は接地線を示している。
【００４０】
以上のように、本発明のポリマー套管においては、受容口がポリマー被覆体よりも下方部位に配設されていることから、ポリマー套管を従来のポリマー套管よりも細くすることができ、また、ポリマー套管が細くなる結果、ポリマー套管の投影断面積が小さくなり、ひいては短尺のポリマー套管でも所定の汚損耐電圧特性を維持することができる。さらに、導体引出棒とケーブル導体との接続がポリマー被覆体よりも下方部位で行なわれることから、ケーブル端末部の段剥処理部の長さを短くできる。また、ポリマー套管中に埋込金具が埋設され、この埋込金具が底部金具と一体化されていることから、ポリマー套管を機械的に補強することができるとともに、ポリマー套管を底部金具を介して取付架台などに容易にかつ安定して取り付けることができる。さらに、中間部に曲がり部を有することから、天井の低い変電所や鉄塔の腕金上に設置しても、必要な離隔距離を確保することができる。
【００４１】
ここで、前述の実施例においては、導体挿入孔１ａと対応する部分を大径化し、導体引出棒１の先端部を除く部分を小径化した絶縁筒２、すなわち、大径絶縁筒２ａと小径絶縁筒２ｂから成る絶縁筒２について述べているが、導体挿入孔１ａと対応する部分を小径絶縁筒２ｂと同様に細くした、いわゆる細径化したポリマー套管を使用してもよい。
【００４２】
細径化したポリマー套管を使用した場合においては、図１に示す実施例のポリマー套管よりも軽量化できる。
【００４３】
図３は、本発明のポリマー套管Ｐを鉄塔の腕金上に設置した場合の実施例を示している。なお、同図において、図１および図２と共通する部分には同一の符号を付して詳細な説明を省略する。
【００４４】
この実施例においては、ポリマー套管Ｐが、鉄塔Ｔの腕金Ｔａ上に、ポリマー套管Ｐの先端部を腕金Ｔａの端部よりも外方に向けて突出し、かつ腕金Ｔａよりも下方部位に位置するように設置されている。なお、図中、符号１９はポリマー套管Ｐの取付部材、Ｔｂは碍子、Ｃは２２〜７７ｋＶ級のＣＶ２３ケーブルを示している。
【００４５】
この実施例においては、ポリマー套管Ｐの先端部（導体引出棒１の先端部）が腕金Ｔａよりも外方に向けて突出され、かつ腕金Ｔａよりも下方部位に位置するように設置されていることから、すなわち、ポリマー套管Ｐの先端部が隣接する腕金Ｔａや碍子Ｔｂ２３の充電部（先端部）から十分離れた位置に存在することになるから、ポリマー套管Ｐを設置しても腕金間の離隔距離を広げる必要がなくなる。
【００４６】
ここで、図３に示す実施例においては、ポリマー套管Ｐを鉄塔上に設置した場合について述べているが、天井の低い変電所等に設置してもよい。この場合には、図９に示すケーブル終端接続部と比較すれば、ポリマー套管Ｐに曲がり部Ｌが設けられている分だけ、変電所等の天井とポリマー套管Ｐの充電部間の離隔距離を短くすることができる。
【００４７】
図４は、本発明のケーブル終端接続部の他の実施例を示している。なお、同図において、図１および図２と共通する部分には同一の符号を付して詳細な説明を省略する。
【００４８】
この実施例においては、ポリマー套管Ｐにおけるケーブル端末部１１のストレスコーン１２を受容するコーン状の受容口５´が水平方向に向けて折曲されている。
【００４９】
この実施例においては、ケーブル端末部１１を水平方向から装着することができる。
【００５０】
図７は、本発明の他のポリマー套管Ｐ´の一部断面図、図８は、同ポリマー套管Ｐ´を鉄塔上に設置した場合の説明図を示している。なお、同図において、図１〜図４と共通する部分には同一の符号を付して詳細な説明を省略する。
【００５１】
この実施例においては、図４に示す実施例と同様に、ポリマー套管Ｐ´におけるケーブル端末部１１のストレスコーン１２を受容するコーン状の受容口５´が水平方向に向けて折曲されており、また、ポリマー套管Ｐ´の中間部には１００度〜１５０度程度の鈍角を呈するように折曲された曲がり部Ｌ´が設けられている。このような構成のポリマー套管Ｐ´は、図８に示すように、ポリマー套管Ｐ´の水平部が鉄塔Ｔの腕金Ｔａ上に位置し、先端部が碍子Ｔｂの内側でかつ腕金Ｔａよりも下方部位に位置するようにして設置されている。
【００５２】
この実施例においては、ポリマー套管Ｐ´の先端部が碍子Ｔｂの内側に存在することから、図３に示す実施例よりも、ポリマー套管Ｐ´を安定した状態で鉄塔Ｔの腕金Ｔａ上に設置することができる。
【産業上の利用可能性】
【００５３】
なお、前述の実施例においては、受容口をポリマー被覆体よりも下方部位に配設したポリマー套管について説明しているが、本発明はこれに限定されず、図８に示すように、受容口をポリマー被覆体の下端部内に設けてもよい。また、ポリマー套管は、その中間部に略Ｌ字状の折曲部を設けたものに限定されず、半円状の折曲部を設けたものでもよい。さらに、導体引出棒の外周に設けられる絶縁筒は、導体引出棒と別体で設けてもよく、また、ケーブル端末の受容口は下方若しくは水平方向に向けるものに限定されず、例えば斜めに向けて形成してもよい。さらに、ケーブル終端接続部は、気中終端接続部に限定されず、ガス・油中終端接続部などに適用してもよい。
【図面の簡単な説明】
【００５４】
【図１】本発明のポリマー套管の一部断面図。
【図２】本発明のケーブル終端接続部の一部断面図。
【図３】本発明の他の実施例に係るケーブル終端接続部の一部断面図。
【図４】本発明の他の実施例に係るケーブル終端接続部の一部断面図。
【図５】本発明の他の実施例に係るポリマー套管の一部断面図。
【図６】本発明の他の実施例に係るケーブル終端接続部の一部断面図。
【図７】従来のケーブル終端接続部の一部断面図。
【図８】従来のケーブル終端接続部の一部断面図。
【図９】従来のケーブル終端接続部の一部断面図。
【図１０】従来のケーブル終端接続部の説明図。
【符号の説明】
【００５５】
１・・・導体引出棒
１ａ・・・導体挿入孔
２・・・絶縁筒
３・・・ポリマー被覆体
３ａ・・・襞部
５・・・受容口
１１・・・ケーブル端末
Ｐ・・・ポリマー套管
Ｌ・・・曲がり部
【図１】
2005100778.tif 000003
【図２】
2005100778.tif 000004
【図３】
2005100778.tif 000005
【図４】
2005100778.tif 000006
【図５】
2005100778.tif 000007
【図６】
2005100778.tif 000008
【図７】
2005100778.tif 000009
【図８】
2005100778.tif 000010
【図９】
2005100778.tif 000011
【図１０】
2005100778.tif 000012